(57)【要約】【課題】  専用の装置を必要とせずに、表示モードの変更と同時に自動的にタッチパネルのキャリブレーションを行うことができる、表示装置の表示形態に対応したタッチパネル装置のキャリブレーション制御方法、制御プログラム及び制御装置を提供する。【解決手段】  コンピュータ１から制御可能に接続された表示装置２及びタッチパネル装置３に対し、表示装置２の表示形態に対応したタッチパネル装置３のキャリブレーション制御方法であって、コンピュータ１から、表示モードの変更コマンドを表示装置２に送信するステップと、コンピュータ１が、変更コマンドにより変更された後の表示モードに応じたキャリブレーションをタッチパネル装置３に実行させるステップと、を含む。【選択図】    図１
2006309466.tif 000002
【特許請求の範囲】
【請求項１】
コンピュータから制御可能に接続された表示装置及びタッチパネル装置に対し、前記表示装置の表示形態に対応した前記タッチパネル装置のキャリブレーション制御方法であって、
前記コンピュータから、表示モードの変更コマンドを前記表示装置に送信するステップと、
前記コンピュータが、前記変更コマンドにより変更された後の表示モードに応じたキャリブレーションを前記タッチパネル装置に実行させるステップと、を含むことを特徴とするタッチパネル装置のキャリブレーション制御方法。
【請求項２】
請求項１に記載のタッチパネル装置のキャリブレーション制御方法において、
前記コンピュータから、表示モードの変更コマンドを前記表示装置に送信するステップの後に、
前記変更された表示モードの画像を前記表示装置の表示部に表示するステップと、
前記コンピュータから、前記表示部に表示されている画像の表示モードを確認する確認コマンドを前記表示装置に対して送信するステップと、
前記表示装置が前記確認コマンドを受信することにより、前記表示部に表示されている画像の表示モードを返信するステップと、を含むことを特徴とするタッチパネル装置のキャリブレーション制御方法。
【請求項３】
前記コンピュータが、前記返信された表示モードと前記変更コマンドにより変更された後の表示モードとを比較し、両者の表示モードが一致していれば、前記変更コマンドにより変更された後の表示モードに応じたキャリブレーションを前記タッチパネル装置に実行させるステップと、を含むことを特徴とする請求項２に記載のタッチパネル装置のキャリブレーション制御方法。
【請求項４】
コンピュータから制御可能に接続された表示装置及びタッチパネル装置に対し、前記表示装置の表示形態に対応した前記タッチパネル装置のキャリブレーション制御方法であって、
前記コンピュータが、前記表示装置の前記表示部に表示されている画像の表示モードを確認する確認コマンドを定期的に前記表示装置に対して送信し、
前記表示装置が、前記確認コマンドを受信する毎に、前記表示部に表示されている画像の表示モードを返信し、
返信された前記表示モードが変化したとき、前記コンピュータが、前記表示部に表示されている画像の表示モードに応じたキャリブレーションを前記タッチパネル装置に実行させることを特徴とするタッチパネル装置のキャリブレーション制御方法。
【請求項５】
コンピュータから制御可能に接続された表示装置及びタッチパネル装置に対し、前記表示装置の表示形態に対応した前記タッチパネル装置のキャリブレーション制御方法であって、
前記コンピュータが、前記表示装置の表示部に表示されている画像の表示モードを確認する確認コマンドを表示装置に対して送信するステップと、
前記表示装置が、確認コマンドを受信することにより、前記表示部に表示されている画像の表示モードを返信するステップと、
前記コンピュータが、返信された表示モードに応じて、切り替え後の表示モードを決定するステップと、
前記コンピュータが、前記表示装置の表示制御部に対して、決定された切り替え後の表示モードに変更するように、切替コマンドを送信するステップと、
前記切り替え後の表示モードに応じたキャリブレーションを前記タッチパネル装置に実行させるステップと、を含むことを特徴とするタッチパネル装置のキャリブレーション制御方法。
【請求項６】
請求項５に記載のタッチパネル装置のキャリブレーション制御方法において、
前記コンピュータが、前記表示装置の表示制御部に対して、決定された切り替え後の表示モードに変更するように、切替コマンドを送信するステップの後に、
前記表示装置が、前記切替コマンドで指示された表示モードに変更された画像を表示部に表示するステップと、
前記コンピュータが、前記切替コマンドにより変更された表示部の表示モードを確認する確認コマンドを表示装置に対して送信するステップと、
前記表示装置が、前記確認コマンドを受信することにより、前記切替コマンドにより変更された表示部に表示されている画像の表示モードを返信するステップと、
前記コンピュータが、前記返信された表示モードと前記決定された切り替え後の表示モードとを比較し、両者の表示モードが一致していれば、前記切り替え後の表示モードに応じたキャリブレーションを前記タッチパネル装置に実行させるステップと、を含むことを特徴とするタッチパネル装置のキャリブレーション制御方法。
【請求項７】
コンピュータから制御可能に接続された表示装置及びタッチパネル装置に対し、前記表示装置の表示形態に対応した前記タッチパネル装置のキャリブレーション制御方法であって、
前記コンピュータで起動しているアプリケーションソフトウェアに適した表示モードを決定するステップと、
前記コンピュータが、前記表示装置に対して、決定した前記表示モードへ変更するように、変更コマンドを送信するステップと、
前記コンピュータが、前記表示モードに応じたキャリブレーションを前記タッチパネル装置に実行させるステップと、を含むことを特徴とするタッチパネル装置のキャリブレーション制御方法。
【請求項８】
請求項７に記載のタッチパネル装置のキャリブレーション制御方法において、
前記コンピュータが、前記表示装置に対して、決定した表示モードへ変更するように、変更コマンドを送信するステップの後に、
変更された表示モードの画像を前記表示装置の表示部に表示するステップと、
前記コンピュータが、前記表示部に表示されている画像の表示モードを確認する確認コマンドを前記表示装置に対して送信するステップと、
前記表示装置が、確認コマンドを受信することにより、前記表示部に表示されている画像の表示モードを返信するステップと、
前記コンピュータが、前記返信された表示モードと前記決定した表示モードとを比較し、両者の表示モードが一致していれば、前記切り替え後の表示モードに応じたキャリブレーションを前記タッチパネル装置に実行させるステップと、を含むことを特徴とするタッチパネル装置のキャリブレーション制御方法。
【請求項９】
前記コンピュータにインストールされたコントロールソフトウェアにより制御することを特徴とする請求項１〜８のいずれか１項に記載のタッチパネル装置のキャリブレーション制御方法。
【請求項１０】
前記コントロールソフトウェアの機能をアプリケーションソフトウェアの中に含んでいることを特徴とする請求項９に記載のタッチパネル装置のキャリブレーション制御方法。
【請求項１１】
前記コンピュータにインストールされたタッチパネルドライバにより制御することを特徴とする請求項１〜８のいずれか１項に記載のタッチパネル装置のキャリブレーション制御方法。
【請求項１２】
コンピュータから制御可能に接続された表示装置及びタッチパネル装置に対し、前記表示装置の表示形態に対応した前記タッチパネル装置のキャリブレーション制御プログラムであって、
表示モードの変更コマンドを前記表示装置に送信するステップと、
前記コンピュータが、前記変更コマンドにより変更された後の表示モードに応じたキャリブレーションを前記タッチパネル装置に実行させるステップと、を前記コンピュータに実行させることを特徴とするタッチパネル装置のキャリブレーション制御プログラム。
【請求項１３】
前記表示部に表示されている画像の表示モードを確認する確認コマンドを前記表示装置に対して送信するステップと、
前記表示装置から返信された、前記表示部に表示されている画像の表示モードを受信するステップと、を前記コンピュータに実行させることを特徴とする請求項１２に記載のタッチパネル装置のキャリブレーション制御プログラム。
【請求項１４】
接続された表示装置及びタッチパネル装置に対し、前記表示装置の表示形態に対応した前記タッチパネル装置のキャリブレーションを制御する装置であって、
表示モードの変更コマンドを前記表示装置に送信する手段と、
前記変更コマンドにより変更された後の表示モードに応じたキャリブレーションを前記タッチパネル装置に実行させる手段と、を有することを特徴とするタッチパネル装置のキャリブレーション制御装置。
【請求項１５】
前記表示部に表示されている画像の表示モードを確認する確認コマンドを前記表示装置に対して送信する手段と、
前記表示装置から返信された、前記表示部に表示されている画像の表示モードを受信する手段と、を有することを特徴とする請求項１４に記載のタッチパネル装置のキャリブレーション制御装置。
【発明の詳細な説明】
【技術分野】
【０００１】
本発明は、コンピュータから制御可能に接続された表示装置及びタッチパネル装置に対し、表示装置の表示形態に対応したタッチパネル装置のキャリブレーション制御方法、制御プログラム及び制御装置に関する。
【背景技術】
【０００２】
電子会議システムや電子黒板システムなどにおいて、その情報表示装置として比較的大型のプラズマディスプレイなどの表示装置を用いたシステムがある。
このような表示装置のアスペクト比は、通常、１６：９のワイド型ディスプレイが用いられる。そして、この表示装置の前面にタッチパネル等のポインティングデバイスを取り付けることにより、表示装置の前に立った説明者が画面を直接指し示して情報入力を行いながら、プレゼンテーションや授業を行うことができる。
【０００３】
このとき、説明の状況に応じて表示装置の画面の表示形態を変える場合がある。画面の表示形態としては、例えば、このワイド型ディスプレイの画面全体を使ったワイド表示、アスペクト比４：３の表示、表示ドットと画素が１対１で対応するドット・バイ・ドットの表示等が挙げられる。表示形態を切り替えると、タッチパネルでの検出座標値が変わってしまうため、座標合わせ（キャリブレーション）を行わなければならない。
【０００４】
一般に、タッチパネルのキャリブレーション制御方法としては、中点及び４隅に計測点を表示し、この各計測点に対してタッチパネルよりタッチ入力が行われたときの入力電圧値を採取し、表示位置座標とタッチ入力位置座標の関係に基づいて４つの一次変換式を求め、タッチパネルからの入力値を一次変換式により補正すること（例えば、特許文献１参照）などにより行われる。
【０００５】
また、特許文献２のタッチパネル付き画像表示装置によれば、表示モードに基づいてタッチパネルの検出座標値を補正してＰＣ（パーソナルコンピュータ）に出力する。
【特許文献１】特開平５−３４１９１１号公報
【特許文献２】特開２００１−１４２６４５号公報
【発明の開示】
【発明が解決しようとする課題】
【０００６】
上記のようにタッチパネルの計測点（中点及び４隅）をタッチするキャリブレーション制御方法は、ＰＣや携帯端末などのモニタディスプレイでは、使用者がその場で手を少し動かす程度で、各計測点をタッチすることができるが、電子会議システムや電子黒板システム用のプラズマディスプレイなどの大型のディスプレイでは、各計測点をタッチするために立ち位置を変えたり、大きく腕をのばしたりなどの手間と時間がかかる。また、使用者の身長が低い場合は、上隅の計測点をタッチすることは困難である。
【０００７】
従って、表示装置の画面の表示形態を切り替える毎に、タッチパネルのキャリブレーションを行うことは、プレゼンテーションや授業を中断してしまうことになる。
また、特許文献２のタッチパネル付き画像表示装置は、表示装置とタッチパネルとが一体または連携しており、専用の装置（タッチパネル付き画像表示装置）となっている。
【０００８】
本発明が解決しようとする課題としては、専用の装置を必要とせずに、表示モードの変更と同時に自動的にタッチパネルのキャリブレーションを行うことができる、表示装置の表示形態に対応したタッチパネル装置のキャリブレーション制御方法、制御プログラム及び制御装置を提供するということが一例として挙げられる。
【課題を解決するための手段】
【０００９】
請求項１に記載のタッチパネル装置のキャリブレーション制御方法は、コンピュータから制御可能に接続された表示装置及びタッチパネル装置に対し、前記表示装置の表示形態に対応した前記タッチパネル装置のキャリブレーション制御方法であって、前記コンピュータから、表示モードの変更コマンドを前記表示装置に送信するステップと、前記コンピュータが、前記変更コマンドにより変更された後の表示モードに応じたキャリブレーションを前記タッチパネル装置に実行させるステップと、を含むことを特徴とする。
【００１０】
請求項４に記載のタッチパネル装置のキャリブレーション制御方法は、コンピュータから制御可能に接続された表示装置及びタッチパネル装置に対し、前記表示装置の表示形態に対応した前記タッチパネル装置のキャリブレーション制御方法であって、前記コンピュータが、前記表示装置の前記表示部に表示されている画像の表示モードを確認する確認コマンドを定期的に前記表示装置に対して送信し、前記表示装置が、前記確認コマンドを受信する毎に、前記表示部に表示されている画像の表示モードを返信し、返信された前記表示モードが変化したとき、前記コンピュータが、前記表示部に表示されている画像の表示モードに応じたキャリブレーションを前記タッチパネル装置に実行させることを特徴とする。
【００１１】
請求項５に記載のタッチパネル装置のキャリブレーション制御方法は、コンピュータから制御可能に接続された表示装置及びタッチパネル装置に対し、前記表示装置の表示形態に対応した前記タッチパネル装置のキャリブレーション制御方法であって、前記コンピュータが、前記表示装置の表示部に表示されている画像の表示モードを確認する確認コマンドを表示装置に対して送信するステップと、前記表示装置が、確認コマンドを受信することにより、前記表示部に表示されている画像の表示モードを返信するステップと、前記コンピュータが、返信された表示モードに応じて、切り替え後の表示モードを決定するステップと、前記コンピュータが、前記表示装置の表示制御部に対して、決定された切り替え後の表示モードに変更するように、切替コマンドを送信するステップと、前記切り替え後の表示モードに応じたキャリブレーションを前記タッチパネル装置に実行させるステップと、を含むことを特徴とする。
【００１２】
請求項７に記載のタッチパネル装置のキャリブレーション制御方法は、コンピュータから制御可能に接続された表示装置及びタッチパネル装置に対し、前記表示装置の表示形態に対応した前記タッチパネル装置のキャリブレーション制御方法であって、前記コンピュータで起動しているアプリケーションソフトウェアに適した表示モードを決定するステップと、前記コンピュータが、前記表示装置に対して、決定した前記表示モードへ変更するように、変更コマンドを送信するステップと、前記コンピュータが、前記表示モードに応じたキャリブレーションを前記タッチパネル装置に実行させるステップと、を含むことを特徴とする。
【００１３】
請求項１２に記載のタッチパネル装置のキャリブレーション制御プログラムは、コンピュータから制御可能に接続された表示装置及びタッチパネル装置に対し、前記表示装置の表示形態に対応した前記タッチパネル装置のキャリブレーション制御プログラムであって、
表示モードの変更コマンドを前記表示装置に送信するステップと、前記コンピュータが、前記変更コマンドにより変更された後の表示モードに応じたキャリブレーションを前記タッチパネル装置に実行させるステップと、を前記コンピュータに実行させることを特徴とする。
【００１４】
請求項１４に記載のタッチパネル装置のキャリブレーション制御装置は、接続された表示装置及びタッチパネル装置に対し、前記表示装置の表示形態に対応した前記タッチパネル装置のキャリブレーションを制御する装置であって、表示モードの変更コマンドを前記表示装置に送信する手段と、前記変更コマンドにより変更された後の表示モードに応じたキャリブレーションを前記タッチパネル装置に実行させる手段と、を有することを特徴とする。
【発明を実施するための最良の形態】
【００１５】
以下、本発明に係るタッチパネル装置のキャリブレーション制御方法の実施の形態について、図面を参照して詳細に説明する。
本発明は、コンピュータから制御可能に接続された表示装置及びタッチパネル装置に対し、表示装置の表示形態に対応したタッチパネル装置のキャリブレーション制御方法であり、図１は、本発明の各実施の形態に係るタッチパネル装置のキャリブレーション制御方法を適用した表示システム（例えば、電子会議や電子黒板の表示システム）の機能ブロック図である。
【００１６】
図１に示すように、上記表示システムは、コンピュータ１と表示装置２とタッチパネル装置３と入力装置１０とで構成される。
コンピュータ１は、コントロールソフトウェア４と、タッチパネルドライバ５と、ＣＰＵ６と、グラフィック制御部７と、アプリケーションソフトウェア８と、キャリブレーションプリセット値９と、入力端子２１、映像出力端子２２、入出力端子２３，２４を有する。
【００１７】
表示装置２は、Ａ／Ｄコンバータと、画像処理部１２と、表示制御部１３と、表示モード切替入力部１４と、表示部１５と、映像入力端子２５、入出力端子２６とを有する。
タッチパネル装置３は、センサ部１６と、タッチパネル制御部１７と、入出力端子２７とを有する。
【００１８】
各装置間の接続は、コンピュータ１の映像出力端子２２と表示装置２の映像入力端子２５との間は、例えば、ＶＧＡケーブル等によって接続される。また、コンピュータ１の入出力端子２３と表示装置２の入出力端子２６との間は、例えば、ＵＳＢ（Universal Serial Bus）またはＲＳ−２３２Ｃまたは赤外線通信等によって接続される。また、コンピュータ１の入出力端子２４とタッチパネル装置３の間は、例えば、ＵＳＢまたはＲＳ−２３２Ｃ等によって接続される。
【００１９】
コンピュータ１は、例えば、汎用のＰＣ（パーソナルコンピュータ）に、タッチパネル装置３を接続して使用可能とするため、タッチパネルドライバ５とキャリブレーションプリセット値保存領域９にキャリブレーションプリセット値９をインストールし、さらに、表示装置２の表示形態に対応したタッチパネル装置３のキャリブレーションを実行させるためのコントロールソフトウェア４をインストールさせたものである。
【００２０】
また、コンピュータ１は、表示装置２へのグラフィック表示を制御するグラフィック制御部７を備え、表示装置２に対して、表示情報としてのアナログのＲ（赤）、Ｇ（緑）、Ｂ（青）信号（カラー映像信号）と水平同期信号及び垂直同期信号を映像出力端子２２から出力する。あるいは、デジタル入力が可能な表示装置２に対しては、デジタル信号を出力する。
【００２１】
また、コンピュータ１は、例えば、ワープロや表計算、プレゼンテーションソフト、ＣＡＤソフト等のアプリケーションソフトウェア８がインストールされている。
【００２２】
表示装置２は、例えば、電子会議システムや電子黒板システムなどの情報表示装置として使用されるディスプレイ等であり、Ａ／Ｄコンバータ１１は、映像入力端子２５から入力されたアナログのＲ、Ｇ、Ｂ信号をデジタルのＲ、Ｇ、Ｂ信号に変換して画像処理部１２へ出力する。そして、画像処理部１２から出力されたデジタルのＲ、Ｇ、Ｂ信号により、表示部１５に画像が表示される。なお、表示装置２がデジタル信号入力可能であれば、Ａ／Ｄコンバータ１１は必要なく、直接、画像処理部１２にデジタル信号を入力してもよい。
【００２３】
タッチパネル装置３は、表示装置２の表示部１５の表面をペンや指先等で指示したとき、センサ部１６がその位置情報を光（赤外線など）や超音波等を利用して検出し、タッチパネル制御部１７が、その位置情報を入出力端子２７と接続されたコンピュータ１の入出力端子２３を通してタッチパネルドライバ５に送信する。
【００２４】
（第１の実施の形態）
次に、本発明に係るタッチパネルのキャリブレーション制御方法の第１の実施の形態を図２及び図３を用いて説明する。
図２は、所定のボタンに各表示形態（表示モード）を割り当てていることを模式的に示す図である。本実施の形態では、表示装置２の表示形態として、アスペクト比１６：９（ワイド）の表示モード、アスペクト比４：３の表示モード、表示ドットと画素が１対１で対応するドット・バイ・ドットの表示モード、ピクチャーインピクチャーの表示モードの４種類の表示形態に対応したボタン若しくはファンクションをコントロールソフトウェア４の一部に含む。例えば、この図２に示すとおりに、表示装置２の表示部１５にボタンを表示させる、または、入力装置１０のファンクションキーや専用のキーなどの入力キーに各ボタンの機能を割り当てるなどする。
なお、２画面表示などのマルチ画面表示モードやさらに他の表示モードに対応したボタン若しくはファンクションを追加してもよい。
【００２５】
図３は、本発明の第１の実施の形態に係るタッチパネルのキャリブレーション制御方法の手順を説明するフローチャートである。
まず、使用者が入力装置１０の入力キーや表示部１５に表示されたボタンにより、所望の表示モードを選択する。この要求に応じて、コントロールソフトウェア４は、要求された表示モードの変更コマンドを送信する（ステップＳ１）。
このとき、変更コマンドはコンピュータ１の入出力端子２３より出力し、ＵＳＢまたはＲＳ−２３２Ｃまたは赤外線通信等により送信されて表示装置２の入出力端子２６から入力し、表示制御部１３に送信される。
【００２６】
表示制御部１３には、複数の表示モードのそれぞれに対応した読出位置情報や表示倍率情報等が予め記憶されており、変更コマンドに対応する表示モードに対応した読出位置情報や表示倍率情報等を表示出力する。
画像処理部１２は、読出位置情報及び表示倍率情報に基づいて画像処理を行い、変更された表示モードの画像を表示部１５に表示する（ステップＳ２）。
【００２７】
次に、コントロールソフトウェア４は、現在、表示部１５に表示されている画像の表示モードを確認する確認コマンドを、表示装置２に対して送信する（ステップＳ３）。表示装置２の表示制御部１３は、この確認コマンドを受信することにより、現在、表示部１５に表示されている画像の表示モードを返信する（ステップＳ４）。
なお、赤外線通信などの片方向の通信手段を用いている場合は、上記ステップＳ３及び次のステップＳ５を省略する。
【００２８】
コントロールソフトウェア４は、ステップＳ４で返信された表示モードとステップＳ１で要求された表示モードとを比較し、両者の表示モードが一致しているか否かを判定する（ステップＳ５）。このとき、一致していなければ（Ｎｏ）エラー表示（このエラー表示は省略しても良い）などを行い（ステップＳ６）、処理を終了する。
一致していれば（Ｙｅｓ）、要求された表示モード（及び解像度）に応じたキャリブレーションを実行させるためのキャリブレーション実行コマンドをタッチパネルドライバ５に送信し（ステップＳ７）、処理を終了する。
【００２９】
キャリブレーション実行コマンドを受信したタッチパネルドライバ５は、要求された表示モード（及び解像度）に応じたキャリブレーションを実行させる（ステップＳ８）。
【００３０】
このキャリブレーションの実行は、タッチパネルドライバ５が受信した表示モード（及び解像度）に適したキャリブレーションプリセット値をキャリブレーションプリセット値保存領域９から読みとるか、既に合わせているキャリブレーションから算出し、キャリブレーションを行う。
【００３１】
また、上記第１の実施の形態の変形例の一例を以下に述べる。
使用者は、表示装置２に付属する表示モード切替入力部１４やリモートコントローラ（コンピュータ１とは接続されていない）を用いて表示モードの変更を行ってもよい。この場合、上記ステップ１の表示モード変更はコントロールソフトウェア４を介さず、直接実行される。
そして、コントロールソフトウェア４は、変更コマンド送信の有無に関係なく、定期的に表示制御部１３と通信を行って確認コマンドを送信し、表示制御部１３から返信された表示モードが変化したとき、キャリブレーション実行コマンドをタッチパネルドライバ５に送信すればよい。
【００３２】
（第２の実施の形態）
次に、本発明に係るタッチパネルのキャリブレーション制御方法の第２の実施の形態を図４及び図５を用いて説明する。
図４は、本発明の第２の実施の形態に係るタッチパネルのキャリブレーション制御方法における、表示形態（表示モード）を循環させて切り替える表示モード切替ボタンを模式的に示す図である。本実施の形態では、表示装置２の表示形態として、アスペクト比１６：９（ワイド）の表示モードやアスペクト比４：３の表示モードなどいくつかの表示モードを、押すごとに循環させて切り替えるボタン若しくはファンクションをコントロールソフトウェア４の一部に含む。
このために、表示装置２の表示部１５に表示モード切替ボタンを表示させる、または、入力装置１０のファンクションキーや専用のキーなどの入力キーに表示モード切替ボタンの機能を割り当てるなどする。
なお、上記表示モードとしては、表示ドットと画素が１対１で対応するドット・バイ・ドットの表示モード、ピクチャーインピクチャーの表示モード、２画面表示などのマルチ画面表示モードやさらに他の表示モードなどでもよい。
【００３３】
図５は、本発明の第２の実施の形態に係るタッチパネルのキャリブレーション制御方法の手順を説明するフローチャートである。
まず、コントロールソフトウェア４は、現在、表示部１５に表示されている画像の表示モードを確認する確認コマンドを、表示装置２に対して送信する（ステップＳ１１）。
【００３４】
表示装置２の表示制御部１３は、この確認コマンドを受信することにより、現在、表示部１５に表示されている画像の表示モードを返信する（ステップＳ１２）。
コントロールソフトウェア４は、返信された表示モードに応じて、切り替え後の表示モードを決定する（ステップＳ１３）。
【００３５】
次に、コントロールソフトウェア４は、表示制御部１３に対して、上記決定された切り替え後の表示モードに変更するように、表示モードの切替コマンドを送信する（ステップＳ１４）。
このとき、表示モード切替コマンドはコンピュータ１の入出力端子２３より出力し、ＵＳＢまたはＲＳ−２３２Ｃまたは赤外線通信等により送信されて表示装置２の入出力端子２６から入力し、表示制御部１３に送信される。
【００３６】
表示制御部１３には、複数の表示モードのそれぞれに対応した読出位置情報や表示倍率情報等が予め記憶されており、変更コマンドに対応する表示モードに対応した読出位置情報や表示倍率情報等を表示出力する。
画像処理部１２は、読出位置情報及び表示倍率情報に基づいて画像処理を行い、切替コマンドで指示された表示モードに変更された画像を表示部１５に表示する（ステップＳ１５）。
【００３７】
次に、コントロールソフトウェア４は、現在、表示部１５に表示されている画像の表示モードを確認する確認コマンドを、表示装置２に対して送信する（ステップＳ１６）。表示装置２の表示制御部１３は、この確認コマンドを受信することにより、現在、表示部１５に表示されている画像の表示モードを返信する（ステップＳ１７）。
【００３８】
コントロールソフトウェア４は、ステップＳ１７で返信された表示モードとステップＳ１３で決定された表示モードとを比較し、両者の表示モードが一致しているか否かを判定する（ステップＳ１８）。このとき、一致していなければ（Ｎｏ）エラー表示（このエラー表示は省略しても良い）などを行い（ステップＳ１９）、処理を終了する。
一致していれば（Ｙｅｓ）、要求された表示モード（及び解像度）に応じたキャリブレーションを実行させるための、キャリブレーション実行コマンドをタッチパネルドライバ５に送信し（ステップＳ２０）、処理を終了する。
【００３９】
キャリブレーション実行コマンドを受信したタッチパネルドライバ５は、決定された表示モード（及び解像度）に応じたキャリブレーションを実行させる（ステップＳ２１）。
【００４０】
このキャリブレーションの実行は、タッチパネルドライバ５が受信した表示モード（及び解像度）に適したキャリブレーションプリセット値をキャリブレーションプリセット値保存領域９から読みとるか、既に合わせているキャリブレーションから算出し、キャリブレーションを行う。
【００４１】
（第３の実施の形態）
次に、本発明に係る表示装置の表示形態に対応したタッチパネルのキャリブレーション制御方法の第３の実施の形態を図６を用いて説明する。
本実施の形態では、コンピュータ上で起動しているアプリケーションソフトウェアに適した表示形態（表示モード）に変更する。例えば、起動しているアプリケーションソフトウェアがワープロソフトや表計算ソフトの場合には、文字や数字ができるだけ大きく表示できるアスペクト比１６：９（ワイド）の表示モードとし、ＣＡＤソフトなど正確な図形表示が必要とされる場合には、アスペクト比４：３の表示モードに変更するなどして、適した表示形態（表示モード）に変更する。
【００４２】
図６は、本発明に係る第３の実施の形態のタッチパネルのキャリブレーション制御方法の手順を説明するフローチャートである。
まず、現在コンピュータ１で起動しているアプリケーションソフトウェア８（複数のアプリケーションソフトウェアが起動している場合は、現在アクティブ状態になっているアプリケーションソフトウェア）に適した表示モードを決定する（ステップＳ３１）。
コントロールソフトウェア４は、表示装置２の表示制御部１３に対して、決定した表示モードへ変更するように、変更コマンドを送信する（ステップＳ３２）。
【００４３】
このとき、変更コマンドはコンピュータ１の入出力端子２３より出力し、ＵＳＢまたはＲＳ−２３２Ｃまたは赤外線通信等により送信されて表示装置２の入出力端子２６から入力し、表示制御部１３に送信される。
【００４４】
表示制御部１３には、複数の表示モードのそれぞれに対応した読出位置情報や表示倍率情報等が予め記憶されており、変更コマンドに対応する表示モードに対応した読出位置情報や表示倍率情報等を表示出力する。
画像処理部１２は、読出位置情報及び表示倍率情報に基づいて画像処理を行い、変更された表示モードの画像を表示部１５に表示する（ステップＳ３３）。
【００４５】
次に、コントロールソフトウェア４は、現在、表示部１５に表示されている画像の表示モードを確認する確認コマンドを、表示装置２に対して送信する（ステップＳ３４）。表示装置２の表示制御部１３は、この確認コマンドを受信することにより、現在、表示部１５に表示されている画像の表示モードを返信する（ステップＳ３５）。
【００４６】
コントロールソフトウェア４は、ステップＳ３５で返信された表示モードとステップＳ３１で決定した表示モードとを比較し、両者の表示モードが一致しているか否かを判定する（ステップＳ３６）。このとき、一致していなければ（Ｎｏ）エラー表示（このエラー表示は省略しても良い）などを行い（ステップＳ３６）、処理を終了する。
一致していれば（Ｙｅｓ）、決定した表示モード（及び解像度）に応じたキャリブレーションを実行させるためのキャリブレーション実行コマンドをタッチパネルドライバ５に送信し（ステップＳ３７）、処理を終了する。
【００４７】
キャリブレーション実行コマンドを受信したタッチパネルドライバ５は、現在コンピュータ１で起動しているアプリケーションソフトウェア８に適した表示モード（及び解像度）に応じたキャリブレーションを実行させる（ステップＳ３８）。
【００４８】
このキャリブレーションの実行は、タッチパネルドライバ５が受信した表示モード（及び解像度）に適したキャリブレーションプリセット値をキャリブレーションプリセット値保存領域９から読みとるか、既に合わせているキャリブレーションから算出し、キャリブレーションを行う。
【００４９】
なお、本実施の形態では、上記コントロールソフトウェア４の機能をアプリケーションソフトウェア８の中に含ませるようにしてもよい（追加インストールすることで、拡張機能を提供する所謂アドインソフトウェアなど）。
【００５０】
また、上記各実施の形態におけるアプリケーションソフトウェア８の機能をタッチパネルドライバ５の中に含ませるようにしてもよい。
【００５１】
以上、詳述したように、第１の実施の形態に係るタッチパネルのキャリブレーション制御方法は、コンピュータ１から制御可能に接続された表示装置２及びタッチパネル装置３に対し、表示装置２の表示形態に対応したタッチパネル装置３のキャリブレーション制御方法であって、コンピュータ１から、表示モードの変更コマンドを表示装置２に送信するステップと、コンピュータ１が、変更コマンドにより変更された後の表示モードに応じたキャリブレーションをタッチパネル装置３に実行させるステップと、を含むものである。
これにより、使用者が入力装置１０の入力キーや表示部１５に表示されたボタンにより、所望の表示モードを選択して、表示装置２の表示モードを変えると同時に、タッチパネル装置３の座標合わせ、即ちキャリブレーションが自動的に実行されるので、プレゼンテーションや授業などを中断することなく、自在に表示モードの変更をすることができる。
【００５２】
また、第１の実施の形態の変形例では、コンピュータ１が、表示装置２の表示部１５に表示されている画像の表示モードを確認する確認コマンドを定期的に表示装置２に対して送信し、表示装置２が、確認コマンドを受信する毎に、表示部１５に表示されている画像の表示モードを返信し、返信された表示モードが変化したとき、コンピュータ１が、表示部１５に表示されている画像の表示モードに応じたキャリブレーションをタッチパネル装置３に実行させる。
これにより、使用者が、表示装置２に付属する入力スイッチやリモートコントローラ（コンピュータ１とは接続されていない）を使用して表示モードを変更した場合においても、変更後の表示モードに適合するように、タッチパネル装置３のキャリブレーションが自動的に実行することができる。
【００５３】
また、第２の実施の形態に係るタッチパネルのキャリブレーション制御方法は、コンピュータ１から制御可能に接続された表示装置２及びタッチパネル装置３に対し、表示装置２の表示形態に対応したタッチパネル装置３のキャリブレーション制御方法であって、コンピュータ１が、表示装置２の表示部１５に表示されている画像の表示モードを確認する確認コマンドを表示装置２に対して送信するステップと、表示装置２が、確認コマンドを受信することにより、表示部１５に表示されている画像の表示モードを返信するステップと、コンピュータ１が、返信された表示モードに応じて、切り替え後の表示モードを決定するステップと、コンピュータ１が、表示装置２の表示制御部に対して、決定された切り替え後の表示モードに変更するように、切替コマンドを送信するステップと、切り替え後の表示モードに応じたキャリブレーションをタッチパネル装置３に実行させるステップと、を含むものである。
これにより、１つのボタンをクリックする（このボタンをトグルスイッチとして使用する）ことのみで、２つ以上の表示モードの切替を即座に切り替え、タッチパネル装置３のキャリブレーションも同時に行うことができるので、例えば、４：３の表示モードと１６：９の表示モードとを切り替える所謂「ワイド切替」などを簡単に行うことができる。
【００５４】
また、第３の実施の形態に係るタッチパネルのキャリブレーション制御方法は、コンピュータ１から制御可能に接続された表示装置２及びタッチパネル装置３に対し、表示装置２の表示形態に対応したタッチパネル装置３のキャリブレーション制御方法であって、コンピュータ１で起動しているアプリケーションソフトウェアに適した表示モードを決定するステップと、コンピュータ１が、表示装置２に対して、決定した表示モードへ変更するように、変更コマンドを送信するステップと、コンピュータ１が、表示モードに応じたキャリブレーションをタッチパネル装置３に実行させるステップと、を含むものである。
これにより、例えば、起動しているアプリケーションソフトウェア８がワープロソフトや表計算ソフトの場合には、文字や数字ができるだけ大きく表示できるアスペクト比１６：９（ワイド）の表示モードに自動的に変更し、ＣＡＤソフトなど正確な図形表示が必要とされる場合には、アスペクト比４：３の表示モードに自動的に変更するなど、起動しているアプリケーションソフトウェア８に適した表示形態（表示モード）に自動的に変更すると同時に、タッチパネル装置３のキャリブレーションも実行することができる。
【００５５】
以上、本発明の各実施の形態は、表示装置の表示モードの変更と同時に、変更後の表示モードに対応したタッチパネル装置のキャリブレーションを自動的に実行することができる。これは、従来のように専用の装置を必要とせずに、既存の表示装置及びタッチパネルを、コントロールソフトウェアをインストールしたコンピュータに接続することにより実現できるものである。
また、使用するアプリケーションソフトウェアと連動させたり、使用するアプリケーションソフトウェアに組み込んだりすることも可能であり、表示部に複数の画面表示をする場合でも、各画面の表示サイズに応じたタッチパネル装置のキャリブレーションも可能となる。例えば、従来は、説明者が表示モードの変更による混乱を避けるため単独のアプリケーションソフトウェアのコンテンツのみで説明を行う傾向にあったが、本発明によれば、複数のアプリケーションソフトウェアを自在に切り替えて説明することができるので、説明用のコンテンツの自由度が増し、説明時の表現の幅を広げることができる。
よって、例えば、電子会議や電子黒板の表示システムなどの表示システムに適用して、表示装置の前に立った説明者が画面を直接指し示して情報入力を行いながら、プレゼンテーションや授業を行うこと際に、特に有用である。
このとき、説明者の操作による表示装置の表示モード切り替えとタッチパネル装置キャリブレーションが、同一の動作となるので、説明の中断をすることなく説明を続けることができ、効率があがる。そして、授業では、特に幼少の者など、煩雑な操作を覚えることが困難な場合でも、本発明では簡易な操作で済むので、教師等が手伝わなくても生徒自身が操作して発表することが容易となる。
【図面の簡単な説明】
【００５６】
【図１】本発明の各実施の形態に係るタッチパネル装置のキャリブレーション制御方法を適用した表示システム（例えば、電子会議や電子黒板の表示システム）の機能ブロック図である。
【図２】本発明の第１の実施の形態に係るタッチパネルのキャリブレーション制御方法における、所定のボタンに各表示形態（表示モード）を割り当てていることを模式的に示す図である。
【図３】本発明の第１の実施の形態に係るタッチパネルのキャリブレーション制御方法の手順を説明するフローチャートである。
【図４】本発明の第２の実施の形態に係るタッチパネルのキャリブレーション制御方法における、表示形態（表示モード）を循環させて切り替える表示モード切替ボタンを模式的に示す図である。
【図５】本発明の第２の実施の形態に係るタッチパネルのキャリブレーション制御方法の手順を説明するフローチャートである。
【図６】本発明に係る第３の実施の形態のタッチパネルのキャリブレーション制御方法の手順を説明するフローチャートである。
【符号の説明】
【００５７】
１  コンピュータ
２  表示装置
３  タッチパネル装置
４  コントロールソフトウェア
５  タッチパネルドライバ
８  アプリケーションソフトウェア
９  キャリブレーションプリセット値保存領域
１３    表示制御部
１５    表示部
１６    センサ部
１７    タッチパネル制御部
【図１】
2006309466.tif 000003
【図２】
2006309466.tif 000004
【図３】
2006309466.tif 000005
【図４】
2006309466.tif 000006
【図５】
2006309466.tif 000007
【図６】
2006309466.tif 000008